(57)【特許請求の範囲】
【請求項１】
撮像素子を搭載した基板に接合される枠部品に、前記基板上の前記撮像素子の外周部の際の当接位置に当接するリブが配設され、
前記リブは、前記枠部品が、前記撮像素子の撮像面に対して直接的、および間接的に当接しない状態となるように配設される
固体撮像装置。
【請求項２】
前記リブは、前記枠部品の外周部よりも、前記枠部品の内側に設けられる
請求項１に記載の固体撮像装置。
【請求項３】
前記枠部品は、前記枠部品の外周部に、前記基板上の当接位置に当接する支持部をさらに備え、
前記支持部、および前記リブの少なくともいずれかの当接位置が、前記基板と接着剤により接着される
請求項２に記載の固体撮像装置。
【請求項４】
前記リブは、前記支持部と一体化した構成とされる
請求項３に記載の固体撮像装置。
【請求項５】
前記支持部と一体化した構成とされている前記リブは、受動部品間で、かつ、前記撮像素子の外周部の際の当接位置に当接するように、前記枠部品上で配設される
請求項４に記載の固体撮像装置。
【請求項６】
前記リブは、前記撮像素子、および受動部品を搭載した基板に接合される枠部品に、前記受動部品間、または前記撮像素子と前記受動部品との間で、かつ、前記撮像素子の外周部の際の当接位置に当接するように配設される
請求項１に記載の固体撮像装置。
【請求項７】
前記基板の厚さは0.3mmよりも薄いものである
請求項１に記載の固体撮像装置。
【請求項８】
前記基板は、受動部品が内蔵された基板である
請求項１に記載の固体撮像装置。
【請求項９】
前記基板は、FR（Flame Retardant Type）4，FR5、またはセラミックである
請求項１に記載の固体撮像装置。
【請求項１０】
前記枠部品は、エポキシ樹脂、ナイロン樹脂、ポリカーボネート樹脂、または液晶ポリマ（LCP）樹脂である
請求項１に記載の固体撮像装置。
【請求項１１】
請求項１に記載の固体撮像装置と、
前記枠部品上に配設される受光レンズユニットと
を備えたカメラモジュール。
【請求項１２】
撮像素子を搭載した基板に接合される枠部品に、前記基板上の前記撮像素子の外周部の際の当接位置に当接するリブが配設され、
前記リブは、前記枠部品が、前記撮像素子の撮像面に対して直接的、および間接的に当接しない状態となるように配設される
電子機器。
【発明の詳細な説明】
【技術分野】
【０００１】
本技術は、固体撮像装置およびカメラモジュール、並びに電子機器に関し、特に、薄型の基板の剛性を高めることで、筐体を低背化できるようにした固体撮像装置およびカメラモジュール、並びに電子機器に関する。
【背景技術】
【０００２】
近年、カメラモジュールの小型化・薄型化の動向があり、薄型化の検討として基板を薄くする検討がされている。現状までのところ、基板の厚さは強度や、個体反りの観点から0.3mm程度が主流であった。【０００３】
例えば、回路基板と、回路基板上に設けられた撮像素子を覆うように固定したカバー部材を設けるようにすることで、枠を設ける構成とする技術が提案されている（特許文献１参照）。
【先行技術文献】
【特許文献】
【０００４】
【特許文献１】特開２００４−３０４６０５号公報
【発明の概要】
【発明が解決しようとする課題】
【０００５】
しかしながら、特許文献１の技術においては、最外周部のみが基板と接合されているので、例えば、基板の主流となっている0.3mm以下に薄くしていくと、基板の中央部などは、落下衝撃時、またはACF（Anisotropic Conductive Film）圧着時などに、たわんでしまうため、この影響により基板上に設けられている撮像素子もたわんでしまう。この結果、撮像素子が割れたり、または反ってしまうことで、基板と撮像素子とを導通させている接続部がショートしたり、若しくは基板と受動部品とがショートしてしまうことがあり、基板の薄型化（モジュール薄型化）の障害となっていた。【０００６】
本技術は、このような状況に鑑みてなされたものであり、特に、基板に張り合わされる枠部品の、基板上の撮像素子の外周部の際となる位置に接触するようにリブを設けるようにして、基板を補強することで、基板の剛性を向上させる。結果として、例えば、薄型の基板を使ったカメラモジュールの低背化を実現しつつ、十分な剛性を実現することで、撮像素子の割れ、反り、移動（ずれる）、およびたわみに基づいた、光学性能の悪化、並びに、それらに伴った回路のショートを防止できるようにするものである。
【課題を解決するための手段】
【０００７】
本技術の第１の側面の固体撮像装置は、撮像素子を搭載した基板に接合される枠部品に、前記基板上の前記撮像素子の外周部の際の当接位置に当接するリブが配設され、前記リブは、前記枠部品が、前記撮像素子の撮像面に対して直接的、および間接的に当接しない状態となるように配設される。
【０００８】
前記リブは、前記枠部品の外周部よりも、前記枠部品の内側に設けられるようにすることができる。【０００９】
前記枠部品は、前記枠部品の外周部に、前記基板上の当接位置に当接する支持部をさらに設けるようにすることができ、前記支持部、および前記リブの少なくともいずれかの当接位置が、前記基板と接着剤により接着されるようにすることができる。
【００１０】
前記リブは、前記支持部と一体化した構成とされるようにすることができる。【００１１】
前記支持部と一体化した構成とされている前記リブは、前記受動部品間で、かつ、前記撮像素子の外周部の際の当接位置と当接するように、前記枠部品上で配設されるようにすることができる。【００１２】
前記リブは、前記撮像素子、および受動部品を搭載した基板に接合される枠部品に、前記受動部品間、または前記撮像素子と前記受動部品との間で、かつ、前記撮像素子の外周部の際の当接位置に当接するように配設されるようにすることができる。【００１３】
前記基板の厚さは0.3mmよりも薄いものとすることができる。【００１４】
前記基板は、受動部品が内蔵された基板とすることができる。【００１５】
前記基板は、FR（Flame Retardant Type）4，FR5、またはセラミックであるようにすることができる。【００１６】
前記枠部品は、エポキシ樹脂、ナイロン樹脂、ポリカーボネート樹脂、または液晶ポリマ（LCP）樹脂であるようにすることができる。【００１７】
本技術のカメラモジュールは、請求項１に記載の固体撮像装置と、前記枠部品上に配設される受光レンズユニットとを設けるようにすることができる。
【００１８】
本技術の第２の側面の電子機器は、撮像素子を搭載した基板に接合される枠部品に、前記基板上の前記撮像素子の外周部の際の当接位置に当接するリブが配設され、前記リブは、前記枠部品が、前記撮像素子の撮像面に対して直接的、および間接的に当接しない状態となるように配設される。
【００１９】
本技術の第１および第２の側面においては、撮像素子を搭載した基板に接合される枠部品に、前記基板上の前記撮像素子の外周部の際の当接位置に当接するリブが配設され、前記リブは、前記枠部品が、前記撮像素子の撮像面に対して直接的、および間接的に当接しない状態となるように配設される。
【発明の効果】
【００２０】
本技術の第１および第２の側面によれば、薄型の基板を使うことでカメラモジュールの低背化を実現しつつ、十分な剛性を実現することで、撮像素子の割れ、または反り、並びに、それに伴ったショートを防止することが可能となる。
【図面の簡単な説明】
【００２１】
【図１】本技術の固体撮像装置を適用したカメラモジュールの一実施の形態の構成例を示す側面断面図である。
【図２】枠に設けられる支持部およびリブの配置例を示す図である。
【図３】リブおよび支持部の構成、並びに基板に接着されるときの接着剤の有無のバリエーションを説明する図である。
【図４】従来の撮像素子における有効画素の配置範囲を説明する図である。
【図５】枠に設けられるリブと支持部の配置例を示す図である。
【図６】支持部と一体化されたリブの構成例を説明する図である。
【図７】外周部の一部に支持部を設けず、リブのみで構成例を説明する図である。
【図８】その他の支持部およびリブの構成例を説明する図である。
【発明を実施するための最良の形態】
【００２２】
＜本技術が適用されるカメラモジュール＞【００２３】
図１は、本技術の固体撮像素子が適用されるカメラモジュールの一実施の形態の構成例を示す側面断面図である。カメラモジュールは、レンズ１２を含むレンズユニット１１−１，１１−２、IRCF（赤外線カットフィルタ）１３、枠部品１４−１，１４−２、基板１５、撮像素子１６、配線１７、および受動部品１８−１，１８−２を備えている。尚、レンズユニット１１−１，１１−２、および枠部品１４−１，１４−２については、図中左右に存在するものとして表されているが一体となった同一の構成である。また、受動部品１８−１，１８−２は、それぞれ個別のものであるが、同一のものである。そこで、以降においては、レンズユニット１１−１，１１−２、枠部品１４−１，１４−２、および受動部品１８−１，１８−２について、それぞれ特に区別する必要がない場合、単に、レンズユニット１１、枠部品１４、および受動部品１８と称するものとし、その他の構成についても同様に称するものとする。【００２４】
図１のカメラモジュールは、例えば、携帯電話機などに設けられるものであり、レンズユニット１１のレンズ１２の図中の上方より入射される光が、IRCF１３を介して撮像素子１６上で画像として結像し、撮像素子１６が、この結像した画像に基づいて、画像データを生成して出力する。【００２５】
レンズユニット１１は、円筒状のものであり、その内部に収納された円筒状または角柱状のレンズ１２を図中の上下方向に移動させることにより、結像される画像の焦点位置、およびズーム等を調整する。IRCF１３は、レンズ１２を介して入射してくる光のうち、赤外光をカットして撮像素子１６に透過させる。尚、図１のレンズユニット１１においては、レンズ１２が図中の上下方向に移動する構成である例について示されているが、レンズ１２についてはレンズユニット１１内を移動しない固定型のものであってもよい。【００２６】
撮像素子１６は、配線等がプリントされている基板１５上に設けられ、さらに、撮像素子１６上における有効画素１６ａ以外の範囲において、配線１７−１，１７−２により、基板１５にプリントされている配線などと電気的に接続される。また、有効画素１６ａは、撮像素子１６に設けられた画素のうち、撮像される画像として構成される画像データを生成するのに使用される有効な画素である。撮像素子１６上には、有効画素１６ａ以外にも図示せぬ、例えば、OPB（Optical Black）画素、および信号の入出力や電力供給を受けるための接続端子が設けられている。【００２７】
受動部品１８−１，１８−２は、例えば、コンデンサ、抵抗、IC（Integrated Circuit）といった電気回路部品などからなり、基板１５上の所定の位置に配置され、電気的に接続されている。尚、図１においては、受動部品１８−１，１８−２等が、基板１５上に存在する場合について記載されているが、受動部品１８−１，１８−２等は、必ずしも基板上に存在していなくても良い。【００２８】
枠部品１４−１，１４−２は、エポキシ樹脂、ナイロン樹脂、液晶ポリマ（LCP）樹脂、または、ポリカーボネート樹脂などにより構成され、図１で示されるように、FR（Flame Retardant Type）4，FR5、またはセラミックなどからなる基板１５上における、撮像素子１６上に開口部を備え、基板１５について、撮像素子１６以外の範囲の基板１５を覆うように構成されている。また、枠部品１４−１，１４−２には、その最外周部であって、基板１５と対向し、かつ、接する位置に支持部１４ｂ−１，１４ｂ−２が設けられている。また、枠部品１４−１，１４−２には、基板１５と対向し、かつ、接する位置であって、基板１５上に配設されている撮像素子１６、および受動部品１８−１，１８−２が配置された位置以外の位置で基板１５に当接するリブ１４ａ−１，１４ａ−２が設けられている。リブ１４ａ−１，１４ａ−２、および支持部１４ｂ−１，１４ｂ−２は、それぞれ基板１５と当接する部位に接着剤Ｂ２−１，Ｂ２−２，Ｂ３−１，Ｂ３−２が塗布されており、これにより基板１５と枠部品１４−１，１４−２とが接合された状態となる。基板１５上であって、枠部品１４における開口部と対応する位置には、IRCF１３が設けられている。さらに、図１で示されるように、枠部品１４の上にレンズユニット１１がマウントされる。この際、枠部品１４−１，１４−２の外周部には、接着剤Ｂ１−１，Ｂ１−２が塗布されて接着され、レンズユニット１１が枠部品１４−１，１４−２にマウントされ、全体としてカメラモジュールが構成されている。【００２９】
枠部品１４におけるリブ１４ａ、および支持部１４ｂは、それぞれ、例えば、図２で示される基板１５の当接位置ＩＲ，ＯＲに当接する。すなわち、図２においては、４種類の基板１５上の配置例が示された基板１５を透過して見える枠部品１４の底面図が示されており、各配置例の直線Ｌにおける断面図が図１で示されるものとなる。すなわち、図２においては、いずれにおいても、図示せぬ基板１５を透視したときに見える、枠部品１４の底面方向の状態が示されており、方形状の斜線部が撮像素子１６を示している。また、図２で示されるように、いずれにおいても、リブ１４ａは、基板１５上における撮像素子１６の際に配設された当接位置ＩＲに当接するように構成されている。同様に、図２で示されるように、いずれにおいても、支持部１４ｂは、基板１５上における、基板１５の外周部に配設された当接位置ＯＲに当接するように構成されている。尚、当接位置ＯＲは、基板１５の外周部に沿って設けられるため、実質的に、当接位置ＩＲは、当接位置ＯＲに対して、基板１５上の内側に設けられることになる。同様に、枠部品１４においても、外周部に沿って支持部１４ｂが構成されることになり、リブ１４ａも、支持部１４ｂよりも内側に構成される。ここで、当接位置ＩＲ，ＯＲは、図示しない基板１５上の位置を示しており、図２においては、それぞれ枠部品１４のリブ１４ａ、および支持部１４ｂが、図示せぬ基板１５上の当接位置ＩＲ，ＯＲに当接していることが示されている。【００３０】
リブ１４ａが、このように構成されて、枠部品１４と基板１５が張り合わされることにより、枠部品１４の剛性により、基板１５の折れ曲がりやたわみに対する強度が向上される。特に、撮像素子１６が設けられている周辺部である、撮像素子１６の際に当接位置ＩＲが設けられ、リブ１４ａが接着剤Ｂ３により当接されて接着されることで、枠部品１４の剛性によりたわみや折れ曲がりに対する強度が補強される。このため、基板１５上における、撮像素子１６が設けられている範囲については、特に、たわみや折れ曲がりに対して強度が向上することになるので、撮像素子１６がたわむ、折れ曲がる、およびずれるといったことを防止することが可能になると共に、たわみ、曲がり、ずれにより電気的に接続された部位がショートするといったことを防止することが可能となる。結果として、基板１５を、現在の主流となっている0.3mmよりもさらに薄型化することが可能となるので、固体撮像装置を、より低背化することが可能となり、ひいては、この低背化された固体撮像装置にレンズユニットをマウントすることで、カメラモジュールそのものを低背化することが可能となる。【００３１】
尚、図１のカメラモジュールは、IRCF１３、枠部品１４、および基板１５により囲まれて構成される固体撮像装置のパッケージと、レンズユニット１１とから構成されるものと考えることもできる。すなわち、カメラモジュールは、固体撮像装置のパッケージと、レンズユニットとの組み合わせにより、レンズユニット１１を構成するレンズ１２の種類に応じた様々な光学特性を備えたカメラモジュールを実現することが可能となる。【００３２】
［リブおよび支持部のバリエーション］
上述したように、図３の左上部で示される枠部品１４において、基板１５の撮像素子１６の際に当接するようにリブ１４ａが配設され、基板１５上の対応する位置に当接位置ＩＲを配設されるようにして、それぞれを接着剤Ｂ３により接着するようにしたことで、基板１５のうち、撮像素子１６の設けられた領域が補強されるので、基板１５のたわみが抑制されて、撮像素子１６の折れ曲がり、および受動部品１８とのショートなどが防止される。【００３３】
従って、枠部品１４におけるリブ１４ａが、基板１５の撮像素子１６の際に当接するように設けられていれば、同様の効果を奏することができるので、リブ１４ａ、および支持部１４ｂについては、以下のようなバリエーションを考えることもできる。【００３４】
例えば、図３の右上部で示されるように、枠部品１４の支持部１４ｂと基板１５の当接位置ＯＲとの間には接着剤を塗布した接合にしなくても、リブ１４ａと基板１５との当接位置ＩＲに接着剤Ｂ３が塗布されていれば、同様の効果を奏することが可能である。【００３５】
さらに、図３の左下部で示されるように、枠部品１４に代えて、支持部１４ｂを省略した枠部品１４’とし、リブ１４ａのみが基板１５の当接位置ＩＲと当接し、接着剤Ｂ３により貼り付けられるようにしてもよい。このように構成しても、枠部品１４’は、リブ１４ａが基板１５の当接位置ＩＲとの間で接着剤Ｂ３により固定され、さらに、リブ１４ａが撮像素子１６の外周部の際に当接された状態となるので、撮像素子１６が設けられている基板１５上の範囲については、たわみ、および折れ曲がりを抑制することができ、結果として、撮像素子１６の折れ曲がり、およびショートを防止することが可能となる。【００３６】
また、図３の右下部で示されるように、枠部品１４の支持部１４ｂと基板１５の当接位置ＯＲにのみ接着剤Ｂ２を塗布して貼り付け、リブ１４と基板１５の当接位置ＩＲとの間については、接着剤を塗布しない構成とするようにしてもよい。このように構成しても、枠部品１４は、支持部１４ｂが基板１５の当接位置ＯＲとの間で接着剤Ｂ２により固定され、さらに、リブ１４ａが撮像素子１６の外周部の際である、当接位置ＩＲに当接された状態となるので、撮像素子１６が設けられている範囲における、基板１５のたわみ、および折れ曲がりを抑制することができ、結果として、撮像素子１６の折れ曲がり、およびショートすることを防止することが可能となる。【００３７】
尚、図３においては、リブ１４ａおよび支持部１４ｂにおける、基板１５との当接位置ＩＲ，ＯＲにおいて、接着剤Ｂ２，Ｂ３の塗布がない場合、当接していない状態に表現されているが、これは、接着剤の有無を明確に表現するためのものであり、現実には、接着剤Ｂ２，Ｂ３の有無に拘わらず、当接位置ＩＲ，ＯＲにおいて、両者は完全に当接している。【００３８】
また、従来においては、図４の左部で示されるように、撮像素子１６においては、有効画素１６ａ’が、撮像素子１６の全表面の一部であったため、有効画素１６’が配置された領域以外の、例えば、点線で囲まれた丸印の位置などに、枠部品の支持部が当接する構成とされることがあった。このように構成することで、基板１５と枠部品１４との間に撮像素子１６が挟まれて固定される状態となるので、基板１５全体が枠部品１４により、たわみに対する強度が増し、さらに、撮像素子１６全体についても、折れ曲がることに対して強度を増すことが可能であった。また、図１で示されるレンズ１２から撮像素子１６までの距離Ｈは、光学的にある程度特定の距離とする必要があるため、レンズユニット１１を含めた基板１５までの厚さ（背高）を薄くする低背化を実現するには、基板１５の厚さを薄くする（薄型化の）必要があった。ところが、基板１５の薄型化が進むほどに、基板１５のたわみや折れ曲がりに対する強度は低下する一方であった。【００３９】
しかしながら、近年における撮像素子１６においては、有効画素１６ａ’が配置された領域が、図４の右部で示されるように、撮像素子１６の表面のほぼ全体となりつつあるため、従来のように撮像素子１６上に支持部が当接する位置を設けることができなくなりつつある。このため、枠部品１４から支持部の構成を省略すると、基板１５の薄型化に伴って、撮像素子１６の周辺部の基板１５の強度が低下することにより、撮像素子１６の割れや、反りや受動部品のショートが生じる恐れがあった。【００４０】
これに対して、図１乃至図３を参照して説明してきたように、基板１５における撮像素子１６の外周部の際となる当接位置ＩＲに当接するように、枠部品１４にリブ１４ａを設けるようにすることで、撮像素子１６を支持部により直接固定しない状態であっても、撮像素子１６が設けられている基板１５上の、撮像素子１６の外周部の際を固定することができるので、支持部で撮像素子１６を直接当接した状態に近い状態にすることができる。このため、強度の低い、薄型の基板１５を採用しても、枠部品１４のリブ１４ａにより基板１５が補強され、基板１５がたわむ、または折れ曲がることを抑制することができる。結果として、基板１５上に設けられた撮像素子１６が折れる、ずれる、たわむ、並びに、これらに伴った基板１５に設けられた電極との電気的な接続がショートすること、および、光学性能の悪化することが防止される。【００４１】
尚、図２において、枠部品１４を構成するリブ１４ａ、および支持部１４ｂが、図示されていない基板１５上の当接する当接位置ＩＲ，ＯＲについては、それぞれ枠部品１４の各角部付近で一体化する構成とする例について説明してきたが、例えば、図５の左部のリブ１４ａ、および支持部１４ｂに接触する当接位置ＩＲ，ＯＲで示されるように、それぞれを完全に独立した構成としてもよい。すなわち、図２の例の枠部品１４におけるリブ１４ａ、および支持部１４ｂは、枠部品１４の各角部付近で一体化する構成となっている。しかしながら、図５の枠部品１４におけるリブ１４ａ、および支持部１４ｂは、それぞれ完全に独立した構成となる。【００４２】
また、図５の中央部、および右部で示されるように、リブ１４ａおよび支持部１４ｂの当接位置は、枠部品１４の側面に対して中央付近で一体化させるような当接位置ＩＯＲとして構成するようにしても良い。このような場合、図５の直線Ｌ’における側面断面が図６で示されるような構成となり、リブ１４ａは、支持部１４ｂと一体化することになり、支持部１４ｂと一体化したリブ１４ａについては、基板１５上の当接する当接位置ＩＯＲの全体に接着剤Ｂ３’が塗布されて、全体が基板１５と接着された状態となる。尚、図５のいずれの場合においても、当接位置ＩＲ，ＯＲ，ＩＯＲについては、対応するリブ１４ａおよび支持部１４ｂとの接触に際して接着剤が塗布された状態で接触されて、貼り付けられるようにしてもよいし、当接位置ＩＲ，ＩＯＲのみ、または、当接位置ＯＲ，ＩＯＲのみに接着剤が塗布されて、貼り付けられるようにしてもよい。また、図５の中央部および右部においては、受動部品１８が設けられる領域と、撮像素子１６が設けられる領域が共通化されている例であり、受動部品１８および撮像素子１６が設けられる共通化領域を跨ぐように、図６で示されるような支持部１４ｂと一体化したリブ１４ａが設けられ、そのリブ１４ａと対応する基板１５上に当接位置ＩＯＲが設けられる例が示されている。【００４３】
さらに、以上においては、図２，図５で示されるように原則としてリブ１４ａおよび支持部１４ｂに対応する基板１５上の当接位置ＩＲ，ＯＲ（さらにＩＯＲ）が設けられる例について説明してきたが、例えば、図７で示されるように、リブ１４ａが当接する当接位置ＩＲのみを設ける構成にするようにしてもよい。ただし、この場合、枠部品１４の、例えば、直線Ｌ’’における側面断面については、図３の左下部で示されるような構成とする必要がある。【００４４】
尚、以上においては、基板１５上に受動部品１８が搭載される例について説明してきたが、基板１５に代えて、受動部品が内蔵された基板を用いるようにしてもよい。【００４５】
また、図８の左部で示されるように、当接位置ＩＲ，ＯＲが鍵状に組み合わされるような形状とし、対応する形状にリブ１４ａ、および支持部１４ｂを構成するようにしてもよい。さらに、図８の中央部で示されるように、当接位置ＩＲが外周部に延びるように構成し、対応する形状にリブ１４ａを構成するようにしてもよい。また、図８の右部で示されるように、受動部品間に当接位置ＩＯＲを構成し、対応する形状のリブ１４ａを構成するようにしてもよい。尚、図８の左部における直線Ｌ’’の断面構成については、図中上部において、図３の左下図と同様の構成となり、図中下部において、リブ１４ａが存在せず、支持部１４ｂのみが存在する構成となる。また、図８の中央部における直線Ｌ’’の断面構成においては、図中の上部および下部のいずれについても、図３の左下図と同様の構成となる。さらに、図８の右部における直線Ｌ’における断面構成については、上部および下部のいずれも図６の構成と同様となる。【００４６】
さらに、以上においては、リブは、基板に当接することを前提としていたが、接着剤を含めた長さで、リブとしての機能を発揮できるようにすることで、接着剤の有無により、リブとして機能させたり、させないようにしてもよい。このようにすることで、枠部品１４による補強を強化したい場合には、予めリブとして機能可能な全部分について接着剤を塗布するようにして基板と接着するようにし、補強レベルを多少落としても影響がない場合については、予めリブとして機能可能な部分の必要最小限の部位について接着剤を塗布して基板と接着するようにして、補強レベルおよび接着に係る作業工数を調整できるようにしてもよい。【００４７】
以上の如く、本技術によれば、いずれにおいても、強度の低い、薄型の基板１５を採用しても、撮像素子１６の外周部の際に当接位置ＩＲを設けて、枠部品１４のリブ１４ａにより当接されることになるため、基板１５の撮像素子１６の周囲が補強されることにより、撮像素子１６周辺の基板１５がたわむ、または折れ曲がることが抑制される。このため、間接的に基板１５上に設けられた撮像素子１６が折れる、ずれる、およびたわむといったことが防止されるので、基板１５に設けられた電極との電気的な接続がショートする、または、光学性能が低下するといったことが防止される。結果として、より薄型の基板１５を用いても、撮像素子１６の周辺について十分な強度を備えた、固体撮像装置の低背化を実現することが可能となる。さらに、固体撮像装置の低背化が実現されることにより、低背化された固体撮像装置（のパッケージ）にレンズユニットがマウントされるようなカメラモジュールについても低背化を実現することが可能となる。【００４８】
なお、本技術の実施の形態は、上述した実施の形態に限定されるものではなく、本技術の要旨を逸脱しない範囲において種々の変更が可能である。【００４９】
尚、本技術は、以下のような構成も取ることができる。
（１）  撮像素子を搭載した基板に接合される枠部品に、前記基板上の前記撮像素子の外周部の際の当接位置に当接するリブを配設する
固体撮像装置。
（２）  前記リブは、前記枠部品の外周部よりも、前記枠部品の内側に設けられる
（１）に記載の固体撮像装置。
（３）  前記枠部品は、前記枠部品の外周部に、前記基板上の当接位置と当接する支持部をさらに備え、
前記支持部、および前記リブの少なくともいずれかの当接位置が、前記基板と接着剤により接着される
（２）に記載の固体撮像装置。
（４）  前記リブは、前記支持部と一体化した構成とされる
（３）に記載の固体撮像装置。
（５）  前記支持部と一体化した構成とされている前記リブは、受動部品間で、かつ、前記撮像素子の外周部の際の当接位置と当接するように、前記枠部品上で配設される
（４）に記載の固体撮像装置。
（６）  前記リブは、前記撮像素子、および受動部品を搭載した基板に接合される枠部品に、前記受動部品間、または前記撮像素子と前記受動部品との間で、かつ、前記撮像素子の外周部の際の当接位置に当接するように配設される
（１）に記載の固体撮像装置。
（７）  前記基板の厚さは0.3mmよりも薄いものである
（１）に記載の固体撮像装置。
（８）  前記基板は、受動部品が内蔵された基板である
（１）乃至（７）のいずれかに記載の固体撮像装置。
（９）  前記基板は、FR（Flame Retardant Type）4，FR5、またはセラミックである
（１）乃至（８）のいずれかに記載の固体撮像装置。
（１０）  前記枠部品は、エポキシ樹脂、ナイロン樹脂、ポリカーボネート樹脂、または液晶ポリマ（LCP）樹脂である
（１）乃至（９）のいずれかに記載の固体撮像装置。
（１１）  （１）に記載の固体撮像装置と、
前記部品上に配設される受光レンズユニットと
を備えたカメラモジュール。
（１２）  撮像素子、および受動部品を搭載した基板に接合される枠部品に、前記受動部品間、または前記撮像素子と前記受動部品との間の当接位置に当接するリブを配設する
電子機器。
【符号の説明】
【００５０】
１１，１１−１，１１−２  レンズユニット，  １２  レンズ，  １３  IRCF，  １４，１４−１，１４−２  枠部品，  １５  基板，  １６  撮像素子，  １６ａ  有効画素，  １７，１７−１，１７−２  配線，  １８，１８−１，１８−２  受動部品
【図１】
0006465360.tif 000002
【図２】
0006465360.tif 000003
【図３】
0006465360.tif 000004
【図４】
0006465360.tif 000005
【図５】
0006465360.tif 000006
【図６】
0006465360.tif 000007
【図７】
0006465360.tif 000008
【図８】
0006465360.tif 000009